(57)【要約】【課題】  本考案の課題は、ユーザが種子を購入する前に発芽しないように種子の発芽を抑制することができ、容器内部に充填された培地から効率良く水や養分を容器内の種子に吸収させることができる植木鉢を提供することを目的とする。【解決手段】  本考案の植木鉢によれば、遮光性の容器１０及び蓋２０と、容器１０内部に充填される乾燥された培地３０と、培地３０に納められた植物の種子４０とを備えることで、種子４０の発芽に必要な水及び光を遮断してユーザの購入前に発芽することを防ぎ、容器１０を略球体とすることで、栽培時において種子４０の発芽及び育成に必要な水及び養分を効率良く吸収させることができる。【選択図】  図３
0003111967.tif 000002
【実用新案登録請求の範囲】
【請求項１】
内部を中空とし、表面に開口部を有し、遮光性を有する材料で外部に水漏れしないように形成された容器と、
該容器の開口部を閉塞し、遮光性を有する蓋と、
前記容器内部に充填される乾燥された培地と、
前記培地に納められた植物の種子とを備えること
を特徴とする植木鉢。
【請求項２】
前記容器は、該球体の中心から所定の高さに切頭面が形成されるように切断された形状とされ、
前記蓋は、切断された前記球体の切頭部分であり、
前記蓋を形成する切頭面の内径は、前記球体の内径よりも小さいこと
を特徴とする請求項１記載の植木鉢。
【請求項３】
前記種子は、前記球体の略中心部に納められていること
を特徴とする請求項２記載の植木鉢。
【考案の詳細な説明】
【技術分野】
【０００１】
本考案は、種子の発芽を抑制し、栽培時には培地内の水や養分を種子に効率良く吸収させることができる植木鉢に関する。
【背景技術】
【０００２】
従来、植物を植える為の植木鉢としては、特許文献１に開示されているものが知られている。
【０００３】
【特許文献１】特開２００４−１８７６５９公報
【０００４】
具体的には、この特許文献１には、円柱状の木材の表面をくりぬき、当該くりぬかれた木材の外気と接する面に防水処理を施した植木鉢を用いることとし、当該植木鉢のくりぬかれた中空部に所定の栽培用土を充填し、当該栽培用土内部に植物の種子を混入することとしている。さらに、植木鉢の開口部には、当該開口部を覆うことができる円盤状の木材であって、中心部に穴を設けられた蓋を被せることとしている。さらに、くりぬかれた中空部は略円柱状に形成されたものである。
【０００５】
上述の構成を備える植木鉢は、木材の表面の外気と接する面に防水処理を施すことで、木材が備える水分の蒸発を防止し、当該水分を植木鉢内部の栽培用土に供給し、より自然環境に近い状態で植物に水分を供給することとしている。
【考案の開示】
【考案が解決しようとする課題】
【０００６】
ところで、このような植木鉢は、栽培用土を充填するくりぬき部を円柱状にすることとしているため、円柱の底面部の隅に堆積した用土の養分を効率的に使用することができないという問題があった。さらに、この様な植木鉢を販売する際、販売者が種子の発芽を制御することができないため、ユーザが種子を購入した際に既に発芽をしてしまっている場合が有り、ユーザにとって植物を育む喜びが減少してしまうものであった。
【０００７】
そこで本考案はこのような実情に鑑みてなされたものであり、ユーザが種子を購入する前に発芽しないように種子の発芽を抑制することができる植木鉢を提供することを目的とする。また、ユーザの栽培時には、容器内部に充填された培地から効率良く水や養分を容器内の種子に吸収させることができる植木鉢を提供することを目的とする。
【課題を解決するための手段】
【０００８】
上述の課題を解決する為に本考案に係る植木鉢は、内部を中空とし、表面に開口部を有し、遮光性を有する材料で外部に水漏れしないように形成された容器と、該容器の開口部を閉塞し、遮光性を有する蓋と、前記容器内部に充填される乾燥された培地と、前記培地に納められた植物の種子とを備えることを特徴とする。
【０００９】
この構成によれば、培地が水分を備えておらず、容器及び蓋が遮光性を有する為、種子の発芽にとって必要な日光及び水分がユーザの意に反して供給されることを防止することができる。そのため、ユーザが購入する前においては、種子の発芽を抑制することができる。
【００１０】
さらに容器は、該球体の中心から所定の高さに切頭面が形成されるように切断された形状とされ、前記蓋は、切断された前記球体の切頭部分であり、前記蓋を形成する切頭面の内径は、前記球体の内径よりも小さいことが好ましい。この場合、種子は当該球体の略中心部に納められていることが好ましい。このような構成によって、種子の周囲に培地を球状に充填することになり、栽培時において、効率良く培地に加えられる水や培地内の養分を使用することができる。
【００１１】
上述の構成を有する植木鉢は、容器が球体を所定の切頭面で切断した形状を有しているため、培地の養分を効率良く使用することができ、光及び水分の量を調整することによってユーザによって種子の発芽や育成を調節することができる。
【考案の効果】
【００１２】
上述の構成を備える植木鉢は、栽培前において、種子の発芽を抑制することができるとともに、栽培時において、種子の発芽及び育成に必要な水や養分を培地から種子に効率良く吸収させることができる。
【考案を実施するための最良の形態】
【００１３】
以下、本考案を適用した具体的な実施の形態について図面を参照しながら詳細に説明する。実施の形態に係る植木鉢は、容器及び蓋を併せたときに略球体を形成するものである。実施の形態に係る植木鉢は、図１のように、内部を中空とし、表面に開口部１１を有する容器１０と、容器１０の表面に形成された開口部１１を閉塞する蓋２０とにより構成されている。
【００１４】
容器１０は、内部を中空とした略球体を、該球体の中心から所定の高さに切頭面が形成されるように切断され、切断前の球体の中心を含む容積の大きい方が示す形状である。すなわち、球体の一部を切り取り、その切断された球体の容積の大きい方が示す形状である。この容器１０は、内部を中空とした球体を切断しているため、図２のように、形成された切頭面に開口部１１が形成される。
【００１５】
この容器１０は、容器１０は、例えば陶器等の遮光性を有する材料で形成されている。また、容器１０は、栽培時に容器１０内に加える水が外部に漏れないように形成されている。例えば、陶器やガラス等の水を通さない材料で容器１０が形成されていたり、水を通す木材や紙等で形成された容器１０の内壁面や外壁面表面に水漏れしないように加工されていたり、容器１０の外部に水漏れしないように形成されていれば、特に限定されるものではない。
【００１６】
この内壁面や外壁面を加工する材料としては、特に限定されるものではないが、ポリエチレン、ポリスチレン、ポリエチレンテレフタレート、ポリテトラフルオロエチレン等の疎水性高分子材料や、水を外部に漏らさないガラス等の親水性の材料をコーティングすることで容器１０を加工することができる。
【００１７】
容器１０の開口部１１を閉塞する蓋２０は、内部を中空とした略球体を該球体の中心から所定の高さに切頭面が形成されるように切断され、切断前の球体の中心を含まない容積の小さい方が示す形状である。すなわち、球体を切断した際の切頭部分である。蓋２０は、例えば、容器１０と同様に遮光性を有する陶器等によって形成されており、容器１０と同一の部材によって形成されていることが好ましい。また、この蓋２０も容器１０と同様に水が外部に漏れ出さないように形成されていてもよい。
【００１８】
この蓋１１の切頭面の内径は、上述の容器１０の内径よりも小さいものであれば特に限定されるものではなく、例えば、容器１０に蓋２０を被せることで略球体状となるように形成されていることが好ましい。この場合、内部を中空とする球状の器を、この器の中心から所定の高さで切断することで形成することができ、容積の大きい方を容器とし、容積の小さい方を蓋としてもよい。
【００１９】
本考案の植木鉢は、上述のように容器１０と蓋１１によって構成され、その容器１０の内部には、図３のように、培地３０と種子４０とを有している。
【００２０】
培地３０は、ユーザが意図的に水を与えない限り、発芽しない程度に乾燥された状態で容器１０の内部に充填されている。容器１０の内部に充填される培地３０の量は、特に限定するものではなく、種子４０及び水を与えた際に培地３０が容器１０の外部に漏出しないものであれば特に限定しない。この培地３０としては、栽培方法により異なるが、土で栽培する場合は用土、水栽培する場合は綿や高吸水性高分子などが挙げられる。そして、この培地３０には、必要に応じて、ユーザが意図的に水を与えることで種子４０の発芽を助ける養分を有していてもよい。
【００２１】
種子４０は、容器１０の内部に充填される培地３０に覆われるように納められている。この種子４０は、ユーザが意図的に水を与えることで、与えた水、種子４０内や培地３０の養分、容器１０の開口部１１より入光する光によって発芽する。この種子４０は、特に限定するものではなく、本考案においては、ひまわりや朝顔の種のような種子に限らず、チューリップやヒヤシンスのような一般的に球根と呼ばれるものも含まれるものとする。
【００２２】
このように構成される本考案の植木鉢は、種子４０の発芽しない程度に培地３０が乾燥しているため、ユーザが容器１０内に水を加えない限り発芽しない。また、容器１０は、水が漏れないように形成されていることで、容器１０外部からの水の浸入を防ぐことができる。また、容器１０に被せられる蓋２０によって、ユーザが購入する前に、ユーザの意に反して水が供給されることを防止することができる。
【００２３】
さらに、容器１０及び蓋２０は、遮光性を有しており、容器１０に蓋２０を被せておくことで、種子４０の発芽及び育成に必要な光を与えず、種子４０の発芽及び育成を抑制することができる。すなわち、種子４０の発芽に必要な水及び光を遮断しており、ユーザがこの植木鉢を購入する前に種子４０の発芽を抑制することができる。
【００２４】
そして、ユーザが本考案の植木鉢を購入した後、容器１０に被せられている蓋２０を取り除き、容器１０内に水を加える。これにより、容器１０内に加えられた水、種子４０内や培地３０の養分、容器１０の開口部１１から入光する光によって、種子４０が発芽する。したがって、ユーザはこの植木鉢によって植物の育成を楽しむことができる。
【００２５】
本考案の植木鉢の容器１０は、上述のように、該球体の中心から所定の高さに切頭面が形成されるように切断された形状とされ、蓋２０は、切断された前記球体の切頭部分であり、蓋２０を形成する切頭面の内径は、球体の内径よりも小さくなっている。すなわち、植木鉢３０は球体となり、これにより、容器１０の中心近傍に種子４０を納めた場合、種子４０の周囲に培地３０を球状に充填することになり、培地３０に加えられた水や培地３０内の養分を効率良く使用することができる。
【００２６】
そして、蓋２０は、必要に応じて容器１０に被せることができる。すなわち、容器１０の開口部１１から入光する光を遮断し、種子４０の発芽や育成を調節することもできる。また、水の量を調整することによっても種子４０の発芽や育成を調節することもできる。
【００２７】
本考案の植木鉢は、上述のものに限られるものではなく、例えば、容器１０の外壁面や蓋２０の内部等に、香りがするように芳香剤を備えておいてもよい。その芳香剤としては、容器１０内に納められた種子４０が花の種である場合、その花の香りを発するものであってもよい。これにより、種子４０が発芽して開花する前であっても、その種子４０を栽培することで開花する花の香りを楽しむことができ、アロマテラピー効果も期待できる。
【図面の簡単な説明】
【００２８】
【図１】本考案の植木鉢の外観形状を示す図である。
【図２】本考案の植木鉢の容器の上面を示す上面図である。
【図３】図２のＡ−Ａ'断面図である。
【符号の説明】
【００２９】
１０  容器
１１  開口部
２０  蓋
３０  培地
４０  種子
【図１】
0003111967.tif 000003
【図２】
0003111967.tif 000004
【図３】
0003111967.tif 000005